(57)【特許請求の範囲】
【請求項１】
表示名を含んだプレゼンス情報を設定するプレゼンス情報設定手段と、
前記プレゼンス情報を保存する記憶部と、
前記プレゼンス情報を他の通信端末に通知するプレゼンス情報通知手段とを備えた通信端末であって、
前記プレゼンス情報に追加情報を加えるとき、前記追加情報を予め前記記憶部に登録することができる追加情報設定手段と、
前記記憶部に保存された追加情報から所定の追加情報を選択できる追加情報決定手段とを備え、
前記プレゼンス情報設定手段が前記所定の追加情報と前記表示名とから追加情報付き表示名を生成し、前記プレゼンス情報通知手段が前記追加情報付き表示名を含むプレゼンス情報を他の通信端末に通知する通信端末。
【請求項２】
前記憶部に保存された追加情報には、前記追加情報設定手段によって登録された追加情報のほかに、追加情報が無い旨の情報が含まれ、該追加情報が無い旨の情報を前記追加情報決定手段が選択したときは、前記プレゼンス情報通知手段が追加情報を加えずに前記プレゼンス情報をそのまま他の通信端末に通知する請求項１記載の通信端末。
【請求項３】
前記追加情報付き表示名が、前記表示名と前記追加情報をデリミッタで区分して生成される請求項１または２記載の通信端末。
【請求項４】
予定を記入したスケジュール部を備え、前記追加情報決定手段が前記予定またはその対応事項を追加情報として決定し、該追加情報と前記表示名から前記追加情報付き表示名を生成する請求項１から３いずれかに１項に記載の通信端末。
【請求項５】
通信情報を取り出す通信情報取出手段を備え、前記追加情報決定手段が前記通信情報取出手段によって取り出された通信情報またはその対応事項を追加情報として設定し、該追加情報と前記表示名から前記追加情報付き表示名を生成する請求項１から３のいずれか１項に記載の通信端末。
【請求項６】
前記通信情報取出手段が、通信状況に従って前記通信情報を取り出すことを特徴とする請求項５記載の通信端末。
【請求項７】
複数の追加情報がある場合、予め優先して表示する優先順を設定しておき、前記優先順に従って前記追加情報が表示される請求項１から６のいずれか１項に記載の通信端末。
【請求項８】
前記優先順の中で、優先する追加情報のみが表示される請求項７記載の通信端末。
【請求項９】
表示名を含んだプレゼンス情報を設定するプレゼンス情報設定手段と、前記プレゼンス情報を保存する記憶部と、前記プレゼンス情報を他の通信端末に通知するプレゼンス情報通知手段を備えた通信端末であって、利用状態を検出する通信端末動作検出手段と、前記記憶部に保存された追加情報の中から前記利用状態に対応する追加情報を選択する追加情報決定手段を備え、前記プレゼンス情報設定手段が該追加情報と前記表示名とから追加情報付き表示名を生成し、前記プレゼンス情報通知手段が少なくとも前記追加情報付き表示名を含むプレゼンス情報を他の通信端末に通知する通信端末。
【発明の詳細な説明】
【技術分野】
【０００１】
この発明は、プレゼンスシステムが用意したプレゼンス情報の表示名を利用してユーザ独自の追加情報を容易に送信できる通信端末に関する。
【背景技術】
【０００２】
従来、インターネット、イントラネット等のＴＣＰ／ＵＤＰ、ＩＰで通信するＩＰネットワークは、ハイパーテキストの表示を行い、ストリーミング、メール、掲示板等の多くのサービスを提供してきた。しかし、これらはいずれも蓄積されたデータをクライアントから要求し、サーバが提供するものであり、双方向性、リアルタイム性に欠けるものであった。リアルタイムという点ではチャットやＶｏＩＰ、テレビ会議等のサービスが実現されているが、これらはいずれも、オンライン下（すなわちネットワークとの接続中）に利用できるもので、まだ完全にはリアルタイムの双方向通信とはいうことができない。相手の状況がまったく分からないままアクセスし、偶然に左右されるだけだからである。
【０００３】
従って、今後ＩＰネットワークにおいては相手のリアルタイムの状況を把握し、より高いレベルで、インタラクティブなコミュニケーションのできる通信が求められるが、これを実現するには、各ユーザの端末において互いに相手端末の状態、すなわちプレゼンス情報を十分に把握することが必要になる。なお、このようなプレゼンス情報は、ＩＥＴＦ（Ｉｎｔｅｒｎｅｔ  Ｅｎｇｉｎｅｅｒｉｎｇ  Ｔａｓｋ  Ｆｏｒｃｅ）の発行したＲＦＣ３８５６、ＲＦＣ２７７８、とくにＲＦＣ２７７８で定義され、現在既に一部の端末でサービスされている。
【０００４】
まず、プレゼンス情報に関して説明すると、現在このサービスを利用可能な端末で通知されるプレゼンス情報の代表的なものには、「Ｏｎｌｉｎｅ」、「Ｏｆｆｌｉｎｅ」、「Ａｗａｙ」、「Ｎｏｔ  Ａｖａｉｌａｂｌｅ」という４種類の状態を示す情報がある。例えば相手端末が「Ｏｆｆｌｉｎｅ」から「Ｏｎｌｉｎｅ」に接続状態が変化すると、相手端末のプレゼンスエージェント部（Ｐｒｅｓｅｎｃｅ  Ａｇｅｎｔ、以下ＰＡ部）がその旨のメッセージを自動的に通知し、自端末のウォッチャー部（サブスクライバ）がこれを受信し、この状態変化のプレゼンス情報を取り出すと共に、「Ｏｎｌｉｎｅ」という情報を相手プレゼンス情報部に格納し、端末のディスプレイに表示する。なお、本明細書においては上記したようなプレゼンス情報を通知、交換するシステムをプレゼンスシステムという。
【０００５】
しかし、今後の双方向通信のコミュニケーションをリアルタイムで使い易いものにするためには、更により具体的な追加情報、例えば「会議中」、「出張中」、「昼休み」、「中座」、「通話の意思なし」といったユーザの現況を示す追加情報が欠かせない。既存のプレゼンスシステムでは、システム側が設定可能なプレゼンス情報の種類（内容）を決めているため、このような独自の追加情報を通知する仕組みがなく、相手の状況をコミュニケーション前に十分認識できない場合がきわめて多い。
【０００６】
今後、双方向通信のコミュニケーションとプレゼンス機能とを搭載したメッセンジャー系の無線通信端末が広く普及すると予想され、相手の現状を予め把握してからコミュニケーションすることへの要求が高まり、追加情報を交換することが重要になってくると予想される。
【０００７】
さて、以下、上記した従来のプレゼンス情報を提供するピアツーピアのプレゼンスシステムを説明する。図８（ａ）は従来のプレゼンス情報を片方向で通知する場合の説明図で
あり、図８（ｂ）は従来のプレゼンス情報を双方向で通知する場合の説明図である。ピアツーピアの説明をするがプレゼンスサーバを介在させて使用することもできる。図８（ａ）において、１００は送信側の端末Ａ、１０１はプレゼンスシステムにプレゼンス情報を提供するプレゼンスユーザエージェント部（Ｐｒｅｓｅｎｃｅ  Ｕｓｅｒ  Ａｇｅｎｔ、以下ＰＵＡ部）、１０２は自分のプレゼンス情報を格納する自己プレゼンス情報部、１０３は購読リクエストの処理やプレゼンス状態の変化に応じて通知を生成できるプレゼンスエージェント部（ＰＡ部）である。なお、ここではＳＩＰ（Ｓｅｓｓｉｏｎ  Ｉｎｉｔｉａｔｉｏｎ  Ｐｒｏｔｏｃｏｌ）をプロトコルとして説明するが、ＩＰパケットを利用してプレゼンス情報の交換を行うことができるプロトコルであればよい。
【０００８】
２００はＩＰネットワーク等のネットワーク、３００はプレゼンス情報受信側の端末Ｂである。３０４は端末Ａ１００のＰＡ部からのプレゼンス情報を監視するウォッチャー部、３０５は通知された相手のプレゼンス情報を格納する相手プレゼンス情報部である。なお、双方向で通知する場合の図８（ｂ）に示す１０４は送信側端末のウォッチャー部、１０５は送信側端末の相手プレゼンス情報部、３０１は受信側端末のＰＵＡ部、３０２は受信側端末の自己プレゼンス情報部、３０３は受信側端末のＰＡ部である。
【０００９】
まず、端末Ｂ３００から他方の端末Ａ１００へプレゼンス情報を要求して、端末Ａ１００がそれを通知する場合について説明する。図９は従来のプレゼンス情報をリクエストしたときに通知する場合の説明図である。図９において、端末Ａ１００のＰＵＡ部１０１がプレゼンス情報を自己プレゼンス情報部１０２に設定する。この状態で、端末Ｂ３００から、一定期間相手のプレゼンス情報を購読したい旨の「ＳＵＢＳＣＲＩＢＥ」メッセージを送信すると（シーケンス１）、これを受信したＰＡ部１０３は購読ＯＫの場合「２００
ＯＫ」を送信し（シーケンス２）、端末Ａ１００からプレゼンス情報を通知する旨の「ＮＯＴＩＦＹ」メッセージを送信する（シーケンス３）。これに対して通知ＯＫなら端末Ｂ３００から端末Ａ１００に向けて「２００  ＯＫ」が送信される（シーケンス４）。端末Ｂ３００のウォッチャー部３０４は、受信した端末Ａ１００のプレゼンス情報で相手プレゼンス情報部３０５の情報を更新する。
【００１０】
次に、プレゼンス情報が変更され、このイベントを検知すると端末Ａ１００から端末Ｂ３００へ通知するケースもある。図１０は従来のプレゼンス情報の変更を検知して通知する場合の説明図である。図１０に示すように、端末Ａ１００の状態が変更されたのを検知したとき、端末Ａ１００のＰＵＡ部１０１がプレゼンス情報を変更する（シーケンス１）。このとき端末Ａ１００のプレゼンス情報は、例えば「Ｏｎｌｉｎｅ」から「Ａｗａｙ」に変更される。ＰＡ部１０３がこれを検知すると（シーケンス２）、端末Ｂ３００にプレゼンス情報を通知する旨の「ＮＯＴＩＦＹ」メッセージを送信する（シーケンス３）。端末Ｂ３００のウォッチャー部３０４はこれを受信すると、端末Ａ１００に向けて「２００
ＯＫ」を送信する（シーケンス４）。その後ウォッチャー部３０４は、受信した端末Ａ１００のプレゼンス情報を基に相手プレゼンス情報部３０４の情報を更新する（シーケンス５）。これにより、相手プレゼンス情報部３０５の端末Ａ１００のプレゼンス状態が「Ｏｎｌｉｎｅ」から「Ａｗａｙ」に変更される。なお、シーケンス４，５は実装次第であって、逆の順でもよい。
【００１１】
さて、上述したとおり、現在のプレゼンスシステムは「Ｏｎｌｉｎｅ」、「Ｏｆｆｌｉｎｅ」、「Ａｗａｙ」、「Ｎｏｔ  Ａｖａｉｌａｂｌｅ」等の代表的なプレゼンス情報しか通知できない。そこで、自然発生的にユーザ独自の個性ある追加情報を便宜的方法で通知するユーザが現れた。すなわち、ユーザの名前（ハンドルネームでよい）、例えば「太郎」の後に最近の近況、例えば「在宅」といった追加情報や、注目しているアイテム、例えば「試験対策中」などの追加情報を付けて、独自の追加情報（独自のプレゼンス情報）として通知するユーザが出現した（非特許文献１参照）。追加情報を付けたことを表すデ
リミッタとしては、例えば「（アットマーク）」などを用い、「名前（アットマーク）追加情報」のような表記方法で使用される。
【００１２】
そこで、このユーザ独自の追加情報がどのようにして送受信されるのかについて説明する。図１１は従来のユーザ独自の追加情報を通知する場合の説明図、図１２は従来の通信端末のプレゼンスルール設定機能のブロック図である。図１１に示すように、端末Ａ１００の表示名にユーザ独自の追加情報が付加されて「太郎」から「太郎（アットマーク）在宅」に変更されたとき、プレゼンス情報の接続状態「Ｏｎｌｉｎｅ」には変更はないが、ＰＵＡ部１０１は自己プレゼンス情報部１０２の表示名を変更する（シーケンス１）。ＰＡ部１０３がこれを検知すると（シーケンス２）、端末Ｂ３００にプレゼンス情報を通知する旨の「ＮＯＴＩＦＹ」メッセージを送信する（シーケンス３）。端末Ｂ３００のウォッチャー部３０４がこれを受信すると、端末Ａ１００に向けて「２００  ＯＫ」を送信する（シーケンス４）。その後ウォッチャー部３０４は、受信した端末Ａ１００のプレゼンス情報を基に相手プレゼンス情報部３０５の情報を更新する（シーケンス５）。これにより、相手プレゼンス情報部３０５の「太郎」の表示名が「太郎（アットマーク）在宅」に変更され、端末Ｂ３００の画面表示も「太郎（アットマーク）在宅」の表示に変更するように設定することができる。なお、シーケンス４，５は実装次第であって、逆の順でもよい。これによって、端末Ｂ３００のユーザは端末Ａ１００のユーザ「太郎」が在宅していることが分かり、「在宅」に相応しい内容のコミュニケーションが行える。
【００１３】
図１２に示すように通信端末のプレゼンス状態変更はプレゼンスルールを予め設定することで行う。図１２において、１０６はプレゼンスルールを設定するプレゼンスルール設定手段、１０７はプレゼンスルール登録部である。プレゼンスルール設定手段１０６はプレゼンスルール登録部１０７に、各ユーザの「Ａｗａｙ」の時間を「５分」に設定したり、「Ｎｏｔ  Ａｖａｉｌａｂｌｅ」の長時間を「３０分」に設定したり設定するものである。プレゼンスルール登録部１０７はこのようにして設定されたプレゼンスルールを登録する。
【００１４】
１０８は自己のプレゼンス情報を設定するプレゼンス情報設定手段、１０９はこのとき表示名を設定する表示名設定手段、１１０は同じく自端末のプレゼンス状態、例えば「Ｏｎｌｉｎｅ」や「Ｏｆｆｌｉｎｅ」、一定時間操作されなかったときには「Ａｗａｙ」、「Ｎｏｔ  Ａｖａｉｌａｂｌｅ」などと判定して設定する状態設定手段、１１１はＰＡ部１０３に設けられプレゼンス情報を通知するプレゼンス情報通知手段である。入力された表示名がプレゼンスルールに従って、状態設定手段１１０が判定したプレゼンス状態が、自己プレゼンス情報部１０２に格納される。このプレゼンス情報がプレゼンス情報通知手段１１１によって相手のウォッチャー部に通知される。
【非特許文献１】ＹＡＨＯＯ！“コンピューター用語辞典“アットマーク（ａｔｍａｒｋ）”、［ｏｎｌｉｎｅ］、平成１７年８月８日、インターネット＜ＵＲＬ： HYPERLINK "http://computers.yahoo.co.jp/dict/peripheral/keyboard/key/2920.html" http://computers.yahoo.co.jp/dict/peripheral/keyboard/key/2920.html＞
【発明の開示】
【発明が解決しようとする課題】
【００１５】
以上説明したように、従来のＰＡ部同士によってシステム上通知されるプレゼンス情報には「Ｏｎｌｉｎｅ」、「Ｏｆｆｌｉｎｅ」、「Ａｗａｙ」、「Ｎｏｔ  Ａｖａｉｌａｂｌｅ」等の情報しかなく、ユーザの中にはユーザ独自で工夫した追加情報、すなわち、自分の名前（表示名）、例えば「太郎」の後にデリミッタ「（アットマーク）」等を配して、例えば「在宅」の追加情報の場合、自分の名前（表示名）に代えて（名前＋独自の追加情報）という内容の情報を「太郎（アットマーク）在宅」などのように表示して通知していた。
【００１６】
しかし、無線通信端末においてはキーボード、各キーそのもののサイズが小さい上に、数字入力のための１２個のテンキーが幾つかのファンクションキーと組み合わされて文字や記号の入力用のキーとして使われるため、操作性が悪いという問題があった。ユーザが操作性の悪さからプレゼンス情報の変更を行わなくなると、正確なプレゼンス情報を伝えることができず、プレゼンス情報を参照する意味がなくなってしまうことになる。
【００１７】
だからといって、端末とインフラの双方でシステムを複雑にするのでは、せっかく多くのユーザが作り上げてきた簡易で柔軟性のある通信文化を破壊することになってしまう。しかも、こうした複雑なシステムが、人間のように柔軟に状況変化に応じて対応できるものとも考えられない。できれば従来のプレゼンスシステムの構成を維持しつつ、操作性を向上させることが期待される。
【００１８】
さらに、無線ＬＡＮにおいては、エリアによっては自動的に場所の特定ができる場合がある。例えば、企業や学校に設けられた無線ＬＡＮでは、会議室や実験室、休憩室、食堂、あるいは駐車場や駐輪場等といったエリアにアクセスポイントが配設されている場合は、位置と何の目的でそこに居るのかの推定ができる。例えば、会議室や実験室、休憩室、食堂のエリアにいるのであれば、時刻情報と合わせると、高い確率で会議中、実験中、休憩中、食事中と判定できるし、駐車場や駐輪場にいるのであれば、帰宅中（出勤中）、移動中ということも判断できる。
【００１９】
そこで本発明は、プレゼンス情報に加えてユーザ独自の追加情報を通信相手に容易に送信することができる通信端末と電気機器を提供することを目的とする。
【課題を解決するための手段】
【００２０】
上記従来の課題を解決するために本発明は、ユーザの表示名を含んだプレゼンス情報を設定するプレゼンス情報設定手段と、プレゼンス情報を保存する記憶部と、プレゼンス情報を他の通信端末に通知するプレゼンス情報通知手段を備えた通信端末であって、プレゼンス情報に追加情報を加えるとき、追加情報を予め記憶部に登録することができる追加情報設定手段と、記憶部に保存された追加情報から所定の追加情報を選択できる追加情報決定手段とを備え、プレゼンス情報設定手段が所定の追加情報と表示名とから追加情報付き表示名を生成し、プレゼンス情報通知手段が追加情報付き表示名を含むプレゼンス情報を他の通信端末に通知することを主要な特徴とする。
【発明の効果】
【００２１】
本発明の通信端末によれば、現在利用されているプレゼンス機能を維持しながら、独自の追加情報を簡単に設定することができる追加情報設定手段と、所定の追加情報を選択できる追加情報決定手段と、これを追加情報付き表示名として送信するプレゼンス情報通知手段を備えているため、ユーザ独自の追加情報をリアルタイムに簡単に送信できる。
【００２２】
また、本発明の電気機器は、その利用状態を検出する電気機器動作検出手段を備え、これを表示名との追加情報付き表示名としたプレゼンス情報とするので、自動的に電気機器の利用状態をリアルタイムにユーザに通知することができる。
【発明を実施するための最良の形態】
【００２３】
上記課題を解決するために本発明の第１の発明は、ユーザの表示名を含んだプレゼンス情報を設定するプレゼンス情報設定手段と、プレゼンス情報を保存する記憶部と、プレゼンス情報を他の通信端末に通知するプレゼンス情報通知手段を備えた通信端末であって、プレゼンス情報に追加情報を加えるとき、追加情報を予め記憶部に登録することができる追加情報設定手段と、記憶部に保存された追加情報から所定の追加情報を選択できる追加
情報決定手段とを備え、プレゼンス情報設定手段が所定の追加情報と表示名とから追加情報付き表示名を生成し、プレゼンス情報通知手段が追加情報付き表示名を含むプレゼンス情報を他の通信端末に通知することを特徴とする通信端末であり、現在利用されているプレゼンス機能を維持しながら、独自の追加情報を簡単に設定することができる追加情報設定手段と、所定の追加情報を選択できる追加情報決定手段と、これを追加情報付き表示名として送信するプレゼンス情報通知手段を備えているため、ユーザ独自の追加情報をリアルタイムに簡単に送信できる。
【００２４】
本発明の第２の発明は、第１の発明に従属する発明であって、記憶部に保存された追加情報には、追加情報設定手段によって登録された追加情報のほかに、追加情報が無い旨の情報が含まれ、該追加情報が無い旨の情報を追加情報決定手段が選択したときは、プレゼンス情報通知手段が追加情報を加えずにプレゼンス情報をそのまま他の通信端末に通知することを特徴とする通信端末であり、追加情報が無い旨の情報が設けられているため、ユーザ独自の追加情報を送信したり、送信しなかったりの操作が簡単に行える。
【００２５】
本発明の第３の発明は、第１または２の発明に従属する発明であって、追加情報付き表示名が、表示名と追加情報をデリミッタで区分して生成されることを特徴とする通信端末であり、デリミッタで区分されているので表示名と追加情報が簡単に識別できる。
【００２６】
本発明の第４の発明は、第１〜３のいずれかの発明に従属する発明であって、予定を記入したスケジュール部を備え、追加情報決定手段が予定またはその対応事項を追加情報として決定し、該追加情報と表示名から追加情報付き表示名を生成することを特徴とする通信端末であり、スケジュールの予定またはその対応事項を追加情報とするので、ユーザの現在の状況として確度の高い情報を自動的に通知できる。
【００２７】
本発明の第５の発明は、第１〜３のいずれかの発明に従属する発明であって、通信情報を取り出す通信情報取出手段を備え、追加情報決定手段が通信情報取出手段によって取り出された通信情報またはその対応事項を追加情報として設定し、該追加情報と表示名から追加情報付き表示名を生成することを特徴とする通信端末であり、ビーコンなどからＥＳＳ−ＩＤやＢＳＳ−ＩＤ、ＩＰアドレス等の通信情報を取り出し、この通信情報またはその対応事項、例えば設置場所等から、ユーザの居る位置、あるいは状況が推定でき、ユーザの状況または位置情報を自動的に通知できる。
【００２８】
本発明の第６の発明は、第５の発明に従属する発明であって、通信情報取出手段が、通信状況に従って通信情報を取り出すことを特徴とする通信端末であり、通信状況によって通信情報の採用可否を決定するため、通信不可能エリアに移動する前に自分のプレゼンス情報を変更しておくことができ、誤ったプレゼンス情報を通知することを防止できる。
【００２９】
本発明の第７の発明は、第１〜６のいずれかの発明に従属する発明であって、複数の追加情報がある場合、予め優先して表示する優先順を設定しておき、優先順に従って追加情報が表示されることを特徴とする通信端末であり、複数の追加情報を分かり易く通知できる。
【００３０】
本発明の第８の発明は、第７の発明に従属する発明であって、優先順の中で、優先する追加情報のみが表示されることを特徴とする請求項７記載の通信端末であり、追加情報の価値に従って通知できる。
【００３１】
本発明の第９の発明は、表示名を含んだプレゼンス情報を設定するプレゼンス情報設定手段と、プレゼンス情報を保存する記憶部と、プレゼンス情報を他の通信端末に通知するプレゼンス情報通知手段を備えた通信端末であって、利用状態を検出する通信端末動作検
出手段と、記憶部に保存された追加情報の中から利用状態に対応する追加情報を選択する追加情報決定手段を備え、プレゼンス情報設定手段が該追加情報と表示名とから追加情報付き表示名を生成し、プレゼンス情報通知手段が少なくとも追加情報付き表示名を含むプレゼンス情報を他の通信端末に通知することを特徴とする通信端末であり、通信端末の利用状態を検出する通信端末動作検出手段を備え、追加情報決定手段によって記憶部に格納された所定の追加情報の中から利用状態に対応する追加情報を選択し、これを表示名に付加して、追加情報付き表示名としたプレゼンス情報を通知するので、ユーザに通信端末の利用状態をリアルタイムに自動的に通知することができる。
【実施例】
【００３２】
（実施例１）
本発明の実施例１は、プレゼンス情報に加えて独自の追加情報を手入力で簡単に送信できる通信端末とプレゼンス情報送信方法に関するものである。図１は本発明の実施例１における無線通信端末の通信システム説明図、図２は本発明の実施例１における無線通信端末の構成図、図３は本発明の実施例１における無線通信端末の表示画面サンプルの説明図、図４は本発明の実施例１における無線通信端末のプレゼンス機能のブロック図、図５（ａ）は本発明の実施例１における無線通信端末のメッセージの説明図、図５（ｂ）は（ａ）のメッセージの通信パケットの構成説明図、図６は本発明の実施例１における追加情報を容易に通知するフローチャートである。
【００３３】
図１において、１はインターネット等のＩＰネットワーク、１ａはＩＰネットワークに接続されて通信を行う無線ＬＡＮである。２ａ，２ｂはアクセスポイントであり、３ａ，３ｂ，３ｃはＩＥＥＥ８０２．１１ａ／ｇで規定されたプロトコルに準拠した通信を行うＷｉＦｉ（登録商標）フォン等の無線通信端末である。無線通信端末３ａ，３ｂ，３ｃはＬＣＤ（液晶）等のディスプレイを備えており、表示画面には図３のような自分のプレゼンス情報及びコンタクトリストのメンバのプレゼンス情報の表示がなされ、さらにＩＭ、ＶｏＩＰ、またメール、Ｗｅｂ接続、プレゼンス情報通知等のサービスを享受するためのＧＵＩによる入力ボタンの表示が行われる。
【００３４】
さらに、４はＳＩＰ等のプロトコル等に準拠した通信を行うためのプレゼンスサーバである。実施例１のようにピアツーピアの通信をするときにはプレゼンスサーバ４は必要ない。なお、実施例１においては無線通信について説明するが、プレゼンス機能を備えた通信端末、プレゼンスシステムであれば、有線等であってもよく、これらに限られない。また、以下プロトコルとして主にＳＩＰを中心に説明するが、表示名を含んだプレゼンス情報を通知するプロトコルであれば、ＲＶＰ（Ｍｉｃｒｏｓｏｆｔ社）などＳＩＰに限られるものではない。
【００３５】
アクセスポイント２ａは、例えば会社内などに複数個設けられて複数エリアからなる無線ＬＡＮ１ａを構築し、各エリア内に存在する無線通信端末３ａ，３ｂを無線で接続することができる。また、アクセスポイント２ｂはＩＰネットワーク１に接続され、自宅内で無線通信端末３ｃと無線で接続することができる。ここで、無線ＬＡＮのアクセスポイント２ａのＥＳＳ−ＩＤは一例として「ＸＹＺ−１１１」であり、エリアごと変えることができる。無線通信端末３ａのローカルＩＰアドレスは一例として「１０．１．１．１」、無線通信端末３ｃのＩＰアドレスは一例として「１９２．１６８．０．１０」である。
【００３６】
続いて、実施例１の無線通信端末の構成について説明する。図２において、１１は送受信部、１２は通信制御部、１３は信号を圧縮／伸長し符号／複合化するデータ処理部である。送受信部１１は周波数変換部と変復調部とから構成されている（図示しない）。周波数変換部の受信部は、アンテナで受信した信号を所定周波数の発振信号と混合することにより、中間周波信号（ＩＦ信号）に周波数変換する。また、周波数変換部の送信部は、後
述する変復調部から供給される変調波を所定周波数の発振信号と混合することにより周波数変換し、アンテナから送信する。また変復調部の受信部は、周波数変換部から出力されたＩＦ信号を復調し、通信制御部１２へ送出する。また、変復調部の送信部では、通信制御部１２から供給されるデータを変調して、送受信部１１の周波数変換部へ送出する。
【００３７】
次に、通信制御部１２は、フレーム同期とフレームのフォーマット処理を行う。通信制御部１２の受信側は、送受信部１１の変復調部から供給される受信データから所定のタイミングで１フレーム分のデータを取り出し、スクランブル等を解除した後、上位層のデータは後述の制御部１６へ送出し、さらに制御部１６では後述する通信手段２０によってＲＴＰペイロードのＶｏＩＰの音声信号やＭＰＥＧの画像信号等のマルチメディアデータをデータ処理部１３へ送出する。また、通信制御部１２の送信側は、データ処理部１３から供給されるデータに対しては通信手段２０でヘッダを付加してＩＰパケットにされたデータに、通信制御部１２でスクランブル等を施し、各フレームを所定タイミングで送受信部１１の変復調部に送出する。
【００３８】
次に、データ処理部１３は、受信側では通信手段２０から供給されるマルチメディアデータを復号化して伸張し、Ｄ／Ａ変換によりアナログ音声信号やビデオ信号へ変換してスピーカ１４や表示部１９（後述）から出力する。データ処理部１３の送信側では、マイク１５から入力されたアナログ音声信号やカメラ等（図示しない）からのビデオ信号をＡ／Ｄ変換によりデータ信号に変換すると共に、符号化し圧縮して、データ信号を通信手段２０に渡してＩＰパケットとして通信制御部１２へ送出する。
【００３９】
次に、１６は制御部、１７は記憶部、１７ａは記憶部１７内に設けられた自分のプレゼンス情報を記録する自己プレゼンス情報部、１７ｂは同じく相手のプレゼンス情報を記録する相手プレゼンス情報部である。１７ｃはプレゼンス情報として「Ｏｎｌｉｎｅ」、「Ｏｆｆｌｉｎｅ」、「Ａｗａｙ」、「Ｎｏｔ  Ａｖａｉｌａｂｌｅ」をどのような条件で設定するのか、そのルールを設定するプレゼンスルール登録部である。例えば、「Ａｗａｙ」はプレゼンスシステムにログインしているが、自端末のユーザが一定時間内にアクションしない場合に「Ａｗａｙ」にするもので、例えば「５分」を一定時間として設定する。同様に、「Ｎｏｔ  Ａｖａｉｌａｂｌｅ」もプレゼンスシステムにログインしているが、自端末のユーザがかなり長時間アクションしない場合に「Ｎｏｔ  Ａｖａｉｌａｂｌｅ」にするもので、例えば「３０分」を一定時間として設定するものである。このほか、「Ａｗａｙ」、「Ｎｏｔ  Ａｖａｉｌａｂｌｅ」そのものを設定するか、しないか、他のオプションも設定するなども含めて設定できる。「Ｎｏｔ  Ａｖａｉｌａｂｌｅ」と「Ａｗａｙ」の違いは、席を離れているという程度の時間なのか、不在という方が適当かの、時間の長短の違いである。
【００４０】
１７ｄはユーザ独自のプレゼンス情報としての追加情報を保存する追加情報部である。追加情報、例えば「外出中」は、自分の表示名、例えば「太郎」の後にデリミッタ「（アットマーク）」「％」「｜」等を配して、「太郎（アットマーク）外出中」などと表記され、追加情報付き表示名として相手に通知するものである。デリミッタは、「（アットマーク）」「％」「｜」等のほか、追加情報と表示名を識別できる記号、文字情報であれば利用できる。追加情報部１７ｄに登録される追加情報は後述の追加情報設定手段２９によって設定される。実施例１の通信端末では、ユーザが図３に示す「プレゼンス／追加」ボタンのプルダウンメニューＡを開いて、「追加情報登録」を選択して設定画面（ウィンドウ）を開き入力する。なお、一度ユーザによるこのような登録処理が行われると、後述の表示画面生成手段３１によってプルダウンメニューＢの画面表示が自動的に生成されて表示される。
【００４１】
従って、追加情報の決定は、プルダウンメニューＢを参照し、ここに該当する追加情報
があれば選択し、該当する追加情報がない場合には追加情報設定手段２９によって新たに登録すればよい。プルダウンメニューを利用して入力できるためワンタッチで入力でき、入力がきわめて簡単になる。なお、追加情報部１７ｄに保存される追加情報の多くは、このユーザが登録した追加情報であるが、別途、例えば予め、追加情報が無い旨の情報などを保存しておくのが好適である。これについては後述する。
【００４２】
１７ｅはユーザのスケジュールを記入しておくスケジュール部、１７ｆは表示順記憶部である。図３の下段に示す「スケジュール取り込み」のボタンは、これを押下することによってスケジュール部１７ｅに記入された予定が追加情報として設定される。これについては実施例２で詳述する。
【００４３】
また、表示順記憶部１７ｆは、「太郎（アットマーク）在宅」のように追加情報が「在宅」１つであればよいが、「在宅」且つ「食事中」であったり、例えば「仕事中」とプライベート、例えば「腹痛」と「発熱」が混じったような複数個の追加情報であったりしたときに、表記を一定の順序で、一定の書式で行うためのものである。このような場合は、入力順に従って「太郎（アットマーク）在宅（アットマーク）食事中」といった表記を行う。なお、複数個の追加情報を付加するときは、追加情報を選択するメニューのほかに選択したものを確定するボタンが設けられる。また、例えば「太郎（アットマーク）仕事中＆腹痛＆発熱」のように「（アットマーク）」と「＆」を使い分けし、「（アットマーク）」「＆」のそれぞれで付加する追加情報の内容に差を与え、「（アットマーク）」の方を優先的な内容で先に表示する表示順の優先表示グループ、「＆」の方をそれ以外の劣後表示グループとしたりすることもできる。このため追加情報を選択するメニューに「（アットマーク）」「＆」の入力ができるように表示したり、「（アットマーク）」「＆」に付加する追加情報を２グループに分けて表示したりなどすればよい。表示順記憶部１７ｆは、このような表記順のルールを設定するところである。入力順を原則優先順とするルールでもよい。なお、表示順序記憶部１７ｆで記憶されている優先順を利用して、複数の状態が設定されているときに最も優先度が高い追加情報だけを付加してもよい。
【００４４】
続いて、１８はキーボードを利用して入力するキー入力部、１８ａはポインティングデバイスを使って画面から入力できるように表示制御する機能実現手段としてのグラフィカルユーザインターフェース（Ｇｒａｆｉｃａｌ  Ｕｓｅｒ  Ｉｎｔｅｒｆａｃｅ、以下ＧＵＩ）部、１９はＬＣＤ（液晶）ディスプレイ等を駆動する表示部である。キー入力部１８は、相手先の電話番号を入力するテンキーやファンクションキー等からの入力を受け付け制御部１６につたえる。ＧＵＩ部１８ａはポインティングデバイスを使って入力可能な領域を選択し、対応する内容を入力するものである。
【００４５】
ところで、制御部１６は多くの機能実現手段から構成され、記憶部１７に格納されている制御プログラムを中央処理装置（ＣＰＵ）のメインメモリに読み出してそれぞれの機能を実現する機能実現手段として構成されるものである。いずれもハードウェアとしてのＣＰＵと制御プログラムを使ってソフトウェア的に各機能を実行する。
【００４６】
２０は、ＳＩＰやＲＴＰ等、またＴＣＰ／ＵＤＰ、ＩＰ等のプロトコルで通信を行う機能実現手段としての通信手段である。２１はプレゼンスシステムにプレゼンス情報を提供する機能実現手段としてのプレゼンスユーザエージェント（ＰＵＡ）部、２２は購読リクエストの処理やプレゼンス状態の変化に応じて通知を生成できる機能実現手段としてのプレゼンスエージェント（ＰＡ）部、２３はクライアントとしてプレゼンス情報を取得する機能実現手段としてのウォッチャー部である。ウォッチャー部２３は、「ＳＵＢＳＣＲＩＢＥ」メッセージを送信してプレゼンス情報をリクエストし、「ＮＯＴＩＦＹ」メッセージを受信してプレゼンス情報を受け取る機能をもっている。
【００４７】
さて、このＰＵＡ部２１、ＰＡ部２２には次のような具体的な各機能を実行する手段が設けられている。
【００４８】
まず、ＰＵＡ部２１の説明をすると、ＰＵＡ部２１には次の構成が設けられる。２４はプレゼンスルールを設定するプレゼンスルール設定手段である。プレゼンスルール設定手段２４はプレゼンスルール登録部１７ｃに、各ユーザのプレゼンスルール、例えば「Ａｗａｙ」になるまでの時間を設定したり、「Ｎｏｔ  Ａｖａｉｌａｂｌｅ」に変更になるまでの時間を設定したり設定するものである。実施例１の通信端末では、図３に示す「プレゼンス／追加」ボタンのプルダウンメニューＡを開いて、「プレゼンスルール設定」を選択し、設定画面を開いて設定する。
【００４９】
また、２５は自己のプレゼンス情報を設定するプレゼンス情報設定手段、２６はこのとき表示名を設定する表示名設定手段、２７は同じくプレゼンス状態を設定する状態設定手段である。表示名設定手段２６は、ユーザが追加情報を決定すると、この追加情報が追加情報決定手段３０によって通知され、ユーザが予め設定した自分の表示名の後にデリミッタを配し、この追加情報を付加して追加情報付き表示名とする。追加情報がない場合は表示名をそのまま表示名とする。プレゼンス情報設定手段２５はこれらを自己プレゼンス情報部１７ａに保存する。
【００５０】
表示名（名前）はユーザが適宜設定可能であるが、プレゼンス情報はＩＤで管理されるため、ユーザによって表示名が設定されていない場合は、表示名設定手段２６はＩＤを表示名として表示する。ＩＤと表示名の双方が設定されている場合は、表示名設定手段２６は設定された表示名をそのまま表示名として表示する。一例として、図３の＜Ｎｏｔ  Ａｖａｉｌａｂｌｅ＞に示す「１２３４５６」は、相手ユーザが表示名を設定していない場合のもので、相手のＩＤがそのまま表示されたものである。
【００５１】
そして、ユーザはプルダウンメニューＣを開いて自端末に対する「Ｏｎｌｉｎｅ」、「Ｏｆｆｌｉｎｅ」、「Ａｗａｙ」、「Ｎｏｔ  Ａｖａｉｌａｂｌｅ」の入力を行え、また、状態設定手段２７は、システム状態に基づいてプレゼンスルール登録部１７ｃを参照し、プレゼンスルールに従って「Ｏｎｌｉｎｅ」、「Ｏｆｆｌｉｎｅ」、「Ａｗａｙ」、「Ｎｏｔ  Ａｖａｉｌａｂｌｅ」等の状態のいずれであるか判定し、１つの状態を選択する。プレゼンス情報設定手段２５は、これを自己プレゼンス情報部１７ａに設定する。
【００５２】
続いて、２９はユーザ独自の追加情報を設定する追加情報設定手段、３０は通知する追加情報を決定する追加情報決定手段である。３１は表示画面生成手段である。ユーザによる追加情報の登録処理が行われると、削除されない限り、プルダウンメニューＢを開いたとき、表示画面生成手段３１はプレゼンス情報の画面表示を自動的に生成し、ディスプレイに表示する。なお、削除処理は追加情報削除手段（図示しない）によって行われ、プルダウンメニューＡの中の「追加情報削除」をクリックして追加情報の一覧を開き、削除する。
【００５３】
実施例１においては、登録された追加情報は図３に示すように追加情報選択のためのプルダウンメニューＢとして一覧で表示され、ユーザはメニューの中から１つを選択する。これより追加情報決定手段３０が選択された１つを追加情報として決定する。上述したように複数選択できるようにすることもできる。なお、追加情報部１７ｄに追加情報が無い旨の情報が保存されている場合、ユーザがこの情報を選択したときは、追加情報を付加せずにプレゼンス情報をそのまま他の通信端末に通知する。追加情報を付加するか否かがユーザの意思で自由に選択できる。また、追加情報を登録するための設定画面とリンクさせた新規登録のためのリンク情報も設けるのも好適である。
【００５４】
なお、図３の「プレゼンス／追加」のプルダウンメニューＡには、追加情報の設定や削除のほかに、設定画面（ウィンドウ）を開いてプレゼンスルールをプレゼンスルール登録部１７ｃに設定する「プレゼンスルール設定」、あるいは、自分の表示名を自己プレゼンス情報部１７ａに設定するための設定画面（ウィンドウ）を開く「表示名設定」等のリンク情報が設けられている。また、プルダウンメニューＡには、このほか、プレゼンスシステムにログインするための「ログイン」と、そのプレゼンスシステムからログアウトするための「ログアウト」が設けられる。ログイン時、ログインのための画面でＩＤを入力する。さらに相手からプレゼンス情報の通知を受けたとき、相手の表示名をそのまま表示せずにリネーム処理を施すための「リネーム設定」が設けられている。このとき相手表示名に対するリネーム処理が行われ相手プレゼンス情報部１７ｂに登録される。図３の＜Ａｗａｙ＞に示す「部長」は、相手の表示名を受信側でリネーム処理し、相手の表示名をそのまま表示せずに、「部長」とリネームしたものである。
【００５５】
続いて、ＰＡ部２２には次の構成が設けられる。２２ａはプレゼンス情報通知手段である。他の通信端末から、プレゼンス情報をリクエストされたり、プレゼンス情報を送信したりするときに、プレゼンス情報通知手段２２ａは、自分のプレゼンス情報を自己プレゼンス情報部１７ａから取り出し相手のウォッチャー部２３に送信する。
【００５６】
さて、以上実施例１の無線通信端末の構成について説明したが、以下、図４の機能ブック図と図５（ａ）,（ｂ）のパケットの構成例、図６のフローチャートに基づいて動作の説明をする。図４において、ユーザは図３のプルダウンメニューＡから「プレゼンスルール設定」を開いてプレゼンスルールを入力することができる。これによってプレゼンスルール登録部１７ｃにこのプレゼンスルールを設定する。同様に、このプルダウンメニューＡの「追加情報登録」を開いて追加情報を入力すると、追加情報設定手段２９はこのユーザ独自の追加情報を追加情報部１７ｄに登録する。削除することも可能である。
【００５７】
表示名に関しては、ユーザは図３の追加情報選択のためのプルダウンメニューＢを開いて、簡単に追加情報を選択することができ、このとき追加情報決定手段３０が表示名設定手段２６にこれを通知する。さらにユーザは、プルダウンメニューＡの「表示名設定」を開いて表示名を入力でき、これらは自己プレゼンス情報部１７ａに保存される。
【００５８】
プレゼンス状態に関しては、状態設定手段２７がプレゼンスルール登録部１７ｃに設定されたルールを参照すると共に、そのときのシステム状態を比較して自動的にどの状態か判定し、プレゼンス情報設定手段２５が表示名と共に自己プレゼンス情報部１７ａに格納する。
【００５９】
その後プレゼンス情報のリクエストの「ＳＵＢＳＣＲＩＢＥ」メッセージの着信やプレゼンス情報を提供するイベントが発生すると、プレゼンス情報通知手段２２ａは、自己プレゼンス情報部１７ａを参照して図５（ａ），（ｂ）のメッセージを他の端末のウォッチャー部に送信する。図５（ｂ）は図１の無線通信端末３ｃから無線通信端末３ａにプレゼンス情報を通知する「ＮＯＴＩＦＹ」メッセージのパケット構成であり、図５（ａ）はそのＳＩＰヘッダとＳＩＰボディ（本文）である。図５（ｂ）においては、このメッセージ全体をペイロードとしてカプセリングして送信する。
【００６０】
プレゼンス情報の通知は、ＳＩＰなどのプロトコルではＰＩＤＦ（プレゼンス情報データ書式）に従って記述するが、本実施例１では、ＸＭＬで記述するＳＩＰボディ（本文）に（図５（ａ）参照）拡張した新たなタグ＜ｃｕｓｔｏｍ：ｎｉｃｋｎａｍｅ＞を設け、ここに表示名を書けるように構成する。図５（ａ）に示されているのは、表示名設定手段２６が生成した追加情報付き表示名「太郎（アットマーク）在宅」が表示名として表示された場合である。このように表示名を含むプレゼンス情報の通知を行うプロトコルであれ
ば、「表示名」と「追加情報」を組み合わせた追加情報付き表示名を表示でき、追加情報を相手端末に通知することができる。
【００６１】
なお、実施例１のプレゼンス情報の通信のシーケンスは従来技術で説明したものと同様である。無線通信端末３ｂから、一定期間相手のプレゼンス情報を購読したい旨の「ＳＵＢＳＣＲＩＢＥ」メッセージが送信されると、これを受信した無線通信端末３ａは購読ＯＫを通知する場合「２００  ＯＫ」を送信し、無線通信端末３ａからプレゼンス情報を通知する旨の「ＮＯＴＩＦＹ」メッセージを送信する。これに対して通知ＯＫなら無線通信端末３ｂから無線通信端末３ａに向けて「２００  ＯＫ」を送信する。無線通信端末３ｂは、受信した無線通信端末３ａのプレゼンス情報を更新する。
【００６２】
また、通知のためのイベントが発生するとこれを検知して無線通信端末３ａから無線通信端末３ｂへ通知する場合もある。無線通信端末３ａのプレゼンス状態が変化したとき、無線通信端末３ａのＰＵＡ部２１がプレゼンス情報を変更する。ＰＡ部２２がこれを検知すると、無線通信端末３ｂに「ＮＯＴＩＦＹ」メッセージを送信し、無線通信端末３ｂのウォッチャー部２３はこれを受信すると、無線通信端末３ａに向けて「２００  ＯＫ」を送信する。その後ウォッチャー部２３が無線通信端末３ｂ内の無線通信端末３ａに対応するプレゼンス情報を更新する。
【００６３】
続いて、図６のフローチャートに基づいて実施例１の追加情報付きでプレゼンス情報を送信する方法について説明する。図６に示すように、プルダウンメニューのような追加情報選択メニューを表示し（ｓｔｅｐ１）、メニューの中に表示された追加情報が選択されるのを待機する（ｓｔｅｐ２）。次いで、ｓｔｅｐ２において選択された追加情報が、追加情報が無い旨の情報以外か否かが判定される（ｓｔｅｐ３）。なお、詳細には記載しないが、ｓｔｅｐ３で追加情報が無い旨の情報のほかに、新規登録のためのリンク情報の判定も併せて行うこともできる。この新規登録のリンク情報だった場合、ｓｔｅｐ７に進まず、追加情報を登録するための設定画面が開いて新規登録され、ｓｔｅｐ２に戻ることになる。
【００６４】
ｓｔｅｐ３に追加情報が無い旨の情報が選択された場合、ｓｔｅｐ７に進み、ｓｔｅｐ３において別の追加情報が選択された場合、さらに別の追加情報が存在するか否かを確認する（ｓｔｅｐ４）。ｓｔｅｐ４において別の追加情報がある場合、ｓｔｅｐ２に戻り、これを繰返す。ｓｔｅｐ４において別の追加情報がない場合、追加情報決定手段３０が追加情報付き表示名を生成するための追加情報を決定する（ｓｔｅｐ５）。
【００６５】
次いで、表示名設定手段２６は決定された追加情報を表示名に付加して追加情報付き表示名を生成し（ｓｔｅｐ６）、プレゼンス情報設定手段２５はこれを自己プレゼンス情報部１７ａに保存する（ｓｔｅｐ８）。ｓｔｅｐ３において追加情報が無い旨の情報が選択された場合は、表示名設定手段２６は表示名をそのまま確定し（ｓｔｅｐ７）、ｓｔｅｐ８に進んで自己プレゼンス情報部１７ａに保存する。
【００６６】
次に、このとき他の端末からのプレゼンス情報の購読リクエストの期限が切れているか否かをチェックし（ｓｔｅｐ９）、リクエストがあるときは独自の追加情報付きプレゼンス情報をこの端末に通知して（ｓｔｅｐ１０）、終了する。また、ｓｔｅｐ９においてリクエストがない場合はそのまま終了する。
【００６７】
このように、実施例１の通信端末は、現在利用されているプレゼンス機能を維持しながら、独自の追加情報を予め簡単に設定することができる追加情報設定手段と、所定の追加情報を選択できる追加情報決定手段と、これを追加情報付き表示名として送信するプレゼンス情報通知手段を備えているため、ユーザ独自の追加情報を簡単に送信できる。従来の
通信端末はシステム側がプレゼンス情報の種類（内容）を決めており、独自の追加情報を通知することができず、相手の状況をコミュニケーション前に十分認識できないが、追加情報によって相手の状態を予め把握してからコミュニケーションすることできる。なお、実施例１は無線通信端末であるが、有線で接続された通信端末でも同様の効果がある。
【００６８】
（実施例２）
本発明の実施例２は、プレゼンス情報に加えて独自の追加情報を自動的に送信できる通信端末とプレゼンス情報送信方法に関するものである。図７は本発明の実施例２における無線通信端末の構成図である。実施例２の通信端末と実施例１の通信端末は、基本的に同一の構成であり、同一符号は同一構成を示しているから、重複するため説明は省略する。
【００６９】
図７において、１７ｇはＥＳＳ−ＩＤやＢＳＳ−ＩＤ、ＩＰアドレスあるいはＩＰアドレスのプレフィックス（前何桁か）をアクセスポイント２ａ，２ｂやルータの設置場所や関連情報に対応付けた対応テーブル、３２は図５（ａ），（ｂ）のようなＩＥＥＥ８０２．１１ａ／ｇで規定されたプロトコル等に準拠した無線通信パケットから通信情報を取り出す通信情報取出手段である。通信情報としては、アクセスポイント２ａ，２ｂ等のＥＳＳ−ＩＤやＢＳＳ−ＩＤ、ルータ（図示しない）のＩＰアドレス、またそのプレフィックスでもよい。プレフィックスを利用する場合の一例として、そのルータ等が存在する国情報を表示する場合などがある。なお、ＧＰＳを搭載している場合、通信情報は位置を示す通信情報を利用すればよい。通信情報取出手段３２がこれらの通信情報を取り出すと、追加情報設定手段２９は後述の対応テーブル１７ｇを参照して、アクセスポイント２ａ，２ｂやルータの設置場所や関連情報に変換する。この関連情報としては、例えば設置場所が会議室のときの用向きと推測される「会議中」などがある。この変換した場所情報や関連情報を追加情報として追加情報決定手段３０が確定する。
【００７０】
このほかに、場所の追加情報をスケジュールから行うのもよい。すなわち、スケジュール部１７ｅにはユーザのスケジュールが綿密に記入されており、このスケジュールに従った行動がなされている確率が高い。そこで、追加情報設定手段２９が計時手段（図示しない）の時刻とスケジュール部１７ｅを参照して、スケジュールの予定をそのまま、あるいは予定を場所情報に変換して追加情報とし、追加情報決定手段３０が確定するのもきわめて有力である。例えば、スケジュール部１７ｅに午後１時から午後３時まで会議と予定されていたら、午後２時の時刻にスケジュール取り込み（図３参照）のボタンを押すと、「会議」が追加情報となり、「太郎（アットマーク）会議」などの追加情報付き表示名として相手に通知される。このように予定は追加情報ではあるが、追加情報部１７ｄに保存される追加情報とは別の追加情報となる。
【００７１】
スケジュール部１７ｅに予定されている事項を「（アットマーク）」、その他を「＆」などとしてデリミッタを区別し、スケジュール優先として表示するのもよい。このとき「太郎（アットマーク）会議＆Ａ氏連絡＆資料作成」等となる。
【００７２】
また、各種のモードを設けておくことにより、このモードを予め入力するだけで、このモード下での様々の情報を自動的に追加情報とすることができる。例えば、自動車で移動する旨の「ドライブモード」を指定しておけば、それ以降追加情報として「ドライブ中」「移動中」を通知できるし、併せて上記した場所情報や関連情報も提供できる。このほか、モードの指定により海外の所在位置に応じて時差を表示させたり、端末の時刻を標準時刻で修正する情報などを提供したりすることもできる。
【００７３】
３３は電波の受信信号強度（Ｒｅｃｅｉｖｅｄ  Ｓｉｇｎａｌ  Ｓｔｒｅｎｇｔｈ  Ｉｎｄｉｃａｔｅｒ、以下ＲＳＳＩ）を測定するＲＳＳＩ検出部である。ＲＳＳＩ検出部３３の検出部は送受信部１１に設けられる。通信情報取出手段３２はＲＳＳＩ検出部３３が
測定したＲＳＳＩ値をレベル値と比較し、高いＲＳＳＩ値を示したときに通信状況が良好ということで、得られた通信情報を採用し、ＲＳＳＩ値が低い場合は通信圏外になりそうだということで、得られた通信情報を採用しないようにする。このようにＲＳＳＩ値の強度によって通信情報の採用可否を決定することで通信不可能エリアに移動する前に自分のプレゼンス情報を変更しておくことができ、誤ったプレゼンス情報を通知することを防止できる。アクセスポイントが複数個設けられた複数エリアの無線ＬＡＮ１ａにおいては、エリアがオーバーラップする領域ではＲＳＳＩ値の大きい方を所在位置とする。また通信状況の判断基準としてフレームエラーレートなどのＲＳＳＩ値以外の値を利用してもよい。
【００７４】
このように実施例２の通信端末は、ユーザ独自の追加情報を自動的に送信できる。従来の通信端末は相手の状況をコミュニケーション前に十分認識できないが、追加情報によって相手の状態を予め把握してからコミュニケーションすることできる。自動的に有用情報を提供することもできる。
【００７５】
（実施例３）
本発明の実施例３は、プレゼンス情報に加えて独自の追加情報を自動的に送信して電気機器と通信する電気機器に関するものである。実施例３の電気機器は、通信機能を備えた電気機器であって、通信機能とプレゼンス通知機能、また追加情報通知する追加情報通知機能、すなわちこれらを実行する構成は実施例２と基本的に同一であり、ＲＳＳＩ検出部３３が設けられておらず、通信情報取出手段に代わってこれに相当する各電気機器の動作状況を検出する電気機器動作検出手段が設けられており（図７を参照し、図示しない）、検出された状態がプレゼンス通知機能によってユーザの端末装置に通知される。なお、実施例３ではデータ処理部１３とスピーカ１４、マイク１５等は必須のものではない。従って、図７を参照することとし、同一符号は同一構成を示しているから、重複するため説明は省略する。
【００７６】
実施例３の電気機器には、実施例２と基本的に同一の追加情報通知機能が設けられているために、電気機器がドアホンの場合、プレゼンス情報のほかに、ユーザにとって分かり易い表示名「ドアホン」と、電気機器動作検出手段によって検出された動作の追加情報「来客中」「２回来客」などが組み合わされた「ドアホン（アットマーク）来客中」「ドアホン（アットマーク）２回来客」という表示名等を端末装置に通知することができる。なお、回数をカウントする場合は別途カウンタなどを設けることが必要である。
【００７７】
同様に、電気機器がネットワークカメラの場合は、表示名「カメラＮ」と、動作を示す追加情報「撮影中」「２回撮影」とが組み合わされた「カメラＮ（アットマーク）撮影中」「カメラＮ（アットマーク）２回撮影」という表示名などを通知することができるし、エアコンの場合は、表示名「エアコン」と、動作を示す追加情報「運転中」とが組み合わされた「エアコン（アットマーク）運転中」という表示名などを通知することができる。なお、このとき上述のドアホンと同様にカウンタやセンサ等が別に必要となる場合がある。デリミッタが「（アットマーク）」に限られず、「％」「｜」等でもよいことは当然である。
【００７８】
このように実施例３の電気機器は、電気機器の利用状態、動作状態などを追加情報として自動的に送信できる。
【産業上の利用可能性】
【００７９】
本発明は、表示名を含むプレゼンス情報を送信できる無線または有線の通信端末に適用できる。
【図面の簡単な説明】
【００８０】
【図１】本発明の実施例１における無線通信端末の通信システム説明図
【図２】本発明の実施例１における無線通信端末の構成図
【図３】本発明の実施例１における無線通信端末の表示画面サンプルの説明図
【図４】本発明の実施例１における無線通信端末のプレゼンス機能のブロック図
【図５】（ａ）本発明の実施例１における無線通信端末のメッセージの説明図、（ｂ）（ａ）のメッセージの通信パケットの構成説明図
【図６】本発明の実施例１における追加情報を容易に通知するフローチャート
【図７】本発明の実施例２における無線通信端末の構成図
【図８】（ａ）従来のプレゼンス情報を片方向で通知する場合の説明図、（ｂ）従来のプレゼンス情報を双方向で通知する場合の説明図
【図９】従来のプレゼンス情報をリクエストしたときに通知する場合の説明図
【図１０】従来のプレゼンス情報の変更を検知して通知する場合の説明図
【図１１】従来のユーザ独自の追加情報を通知する場合の説明図
【図１２】従来の無線通信端末のプレゼンスルール設定機能のブロック図
【符号の説明】
【００８１】
１    ＩＰネットワーク
１ａ    無線ＬＡＮ
２ａ，２ｂ    アクセスポイント
３ａ，３ｂ，３ｃ    無線通信端末
４    プレゼンスサーバ
１１    送受信部
１２    通信制御部
１３    データ処理部
１４    スピーカ
１５    マイク
１６    制御部
１７    記憶部
１７ａ，１０２，３０２    自己プレゼンス情報部
１７ｂ，１０５，３０５    相手プレゼンス情報部
１７ｃ，１０７    プレゼンスルール登録部
１７ｄ    追加情報部
１７ｅ    スケジュール部
１７ｆ    表示順記憶部
１７ｇ    対応テーブル
１８    キー入力部
１８ａ    ＧＵＩ部
１９    表示部
２０    通信手段
２１，１０１，３０１    プレゼンスユーザエージェント（ＰＵＡ）部
２２，１０３，３０３    プレゼンスエージェント（ＰＡ）部
２２ａ，１１１    プレゼンス情報通知手段
２３，１０４，３０４    ウォッチャー部
２４，１０６    プレゼンスルール設定手段
２５，１０８    プレゼンス情報設定手段
２６，１０９    表示名設定手段
２７，１１０    状態設定手段
２９    追加情報設定手段
３０    追加情報決定手段
３１    表示画面生成手段
３２    通信情報取出手段
３３    ＲＳＳＩ検出部
１００    端末Ａ
２００    ネットワーク
３００    端末Ｂ
【図１】
0004581938.tif 000002
【図２】
0004581938.tif 000003
【図３】
0004581938.tif 000004
【図４】
0004581938.tif 000005
【図５】
0004581938.tif 000006
【図６】
0004581938.tif 000007
【図７】
0004581938.tif 000008
【図８】
0004581938.tif 000009
【図９】
0004581938.tif 000010
【図１０】
0004581938.tif 000011
【図１１】
0004581938.tif 000012
【図１２】
0004581938.tif 000013